(57)【要約】【課題】取り付け時間を短縮することができ、一人で行うこともでき、三つ編みや四つ編みをするよりも仕上がりが小さく目立たず、且つ、三つ編みを行なうことなしに、引っ張られても解けることのない強度が得られるエクステンションの取り付け方法を提供することを課題とする。【解決手段】エクステンション４の折り返し部を左右自毛束３、２の根元に配置し右エクステンション束７を右自毛束２に重ね合わせて集合束８を生成し、左自毛束３をエクステンション４の折り返し部の下から引き出して集合束８に交差させ、交差させた左自毛束３を集合束８を巻くようにして後方に回し、巻き付けられた左自毛束３を左エクステンション束６の手前に引き出してこれに交差させた後左エクステンション束６を巻くようにして後方に回し、回された左自毛束３を集合束８の手前に引き出してこれに交差させ、各毛束３、６、８を締め付けて仕上げ処理する。【選択図】図１
2008127709.tif 000002
【特許請求の範囲】
【請求項１】
地肌から複数本の自毛を左右に分髪し、これをそれぞれ左自毛束と右自毛束として束ねる第１工程と、取り付けるべきエクステンションを折り返して左右エクステンション束を生成する第２工程と、前記折り返し部を前記左右自毛束の根元に配置し、前記右エクステンション束を前記右自毛束の手前に重ね合わせて集合束を生成する第３工程と、前記左自毛束を前記エクステンションの折り返し部の下から手前に引き出して、前記集合束に交差させる第４工程と、前記集合束に交差させた前記左自毛束を前記集合束を巻くようにして後方に回す第５工程と、前記集合束に巻き付けられた前記左自毛束を前記左エクステンション束の手前に引き出してこれに交差させた後、前記左エクステンション束を巻くようにして後方に回す第６工程と、前記後方に回された左自毛束を前記集合束の手前に引き出してこれに交差させる第７工程と、前記各毛束を締め付けて仕上げ処理する第８工程、とを含むことを特徴とするエクステンションの取り付け方法。
【請求項２】
前記第５工程乃至第７工程を複数回行なう請求項１に記載のエクステンションの取り付け方法。
【請求項３】
前記第８工程において、前記左自毛束と前記右エクステンション束と前記集合束とを裏三つ編みする請求項１又は２に記載のエクステンションの取り付け方法。
【請求項４】
前記第８工程において、糸ゴムを用いて固定する処理を行なう請求項１乃至３のいずれかに記載のエクステンションの取り付け方法。
【発明の詳細な説明】
【技術分野】
【０００１】
本発明はエクステンションの取り付け方法、より詳細には、人毛或いは人工毛のエクステンションを人の頭髪に取り付ける方法に関するものである。
【背景技術】
【０００２】
上記エクステンションの取り付け方法としては、例えば特許第３５４２１２６号公報に記載のものが知られている。それは、自毛にエクステンションを固定するために熱収縮チューブを使用するもので、該熱収縮チューブ中に適量の自毛とエクステンションが挿通される。
【０００３】
この方法の場合、熱収縮チューブが必要となる上、この熱収縮チューブの中に適量の自毛を挿通させることに熟練技術を要し、手間もかかる。また、熱収縮チューブの内側層を熱溶融性樹脂で形成したり、或いは、熱収縮チューブの内側面に熱溶融性接着剤を配したりした場合には、自毛とエクステンションとの取り付け部分において、熱溶融性樹脂或いは熱溶融性接着剤が自毛部分に付着して、自毛を痛めたり、アレルギー障害を引き起こしたりする虞がある。
【０００４】
他のエクステンションの取り付け方法としては、特開２００４−２７４０２号公報に記載のものが知られている。それは、プレス加工により金属薄板を打ち抜いて所定の形状に折り曲げ加工して成る圧着金具を用い、それを圧着することによって自毛束にエクステンション束を取り付けるようにしたものである。
【０００５】
この方法の場合、上記圧着金属が必要となり、また、エクステンション束と自毛束とを圧着した圧着金具の周囲全体を覆う収縮チューブも必要となるので、部品点数が多くなり、作業にも手間がかかる。
【０００６】
特殊な器具を用いないエクステンションの取り付け方法としては、特開２００４−３０８０８８号公報に記載のものが知られている。それは、三つ編みによってエクステンションを編み付けるものであるが、単に三つ編みしただけでは簡単に解けてしまうので、三つ編みする前にエクステンションを自毛に結びつけるという点に特徴を有するものである。
【０００７】
この方法の場合、実用に耐え得る引張強度が確保できるが、その引張強度を確保するために、三つ編みを複数回行わなければならないため、結び目が大きくなってしまい、仕上がりが見栄えの悪いものとなってしまう虞がある。四つ編みを用いる方法もあるが、取り付けが困難で２人で作業しなければならない上に時間がかかり、仕上がり状態が三つ編みよりも大きなものとなってしまい、外観を損ねる。
【０００８】
このように、従来のエクステンションを編み込む方法の場合には、最終的に三つ編みや四つ編みを施して、その強度を確保しなければならず、結び目も大きくなってしまうという問題がある。
【０００９】
そこで、特殊な器具を使用せず、且つ、三つ編みや四つ編みを施さない方法も提案されている。そのような方法のものとしては、例えば、特許第３３３８４３３号公報に記載のものが知られている。
【００１０】
しかし、この方法の場合は、編み込む方法のように、自毛とエクステンションを重ね合わせて複数回編み込んで強度を保つということができないので、自毛を支点とした均等にバランスの取れる位置でエクステンションを取り付けなければ、実用的な強度を具備させることができない。
【００１１】
即ち、この方法によった場合は、左右均一にエクステンションを引っ張った場合には、左右の力のバランスが取れるために、簡単に取れてしまうことはないが、左右どちらかのエクステンションが強く引っ張られて左右にかかる力がアンバランスになった場合には、比較的簡単に外れてしまうという問題が起こる。これは、編み込みによる自毛とエクステンションの重ね合わせが足りないことに起因するものである。
【００１２】
また、この方法によってエクステンションを取り付けた場合、処理した直後は問題ないが、エクステンションは数ヶ月も取り付けたままにされることが少なくなく、このように長期間装着した状態が続く場合は、様々な日常の動作によって緩んでしまう可能性が高い。
【００１３】
また通常、エクステンションを略半分に折り返し、その折り返し部付近で処理を施すが、店舗に用意してある一番長いエクステンションよりも長めとなるような処理を要求された場合には、折り返す位置を片寄らせて片側を長くし、その片寄った折り返し部付近で処理を施すことになる。
【００１４】
しかし、この方法は上述したように、エクステンションの一方が引っ張られることに対する強度が弱いために、このような取り付け方を行なう場合には不向きである。更に、この方法による結び目は、小さく目立たないが、仕上がりの形状が球状となるため、装着したまま寝た場合に違和感を生じるという欠点がある。
【００１５】
【特許文献１】特許第３５４２１２６号公報
【特許文献２】特開２００４−２７４０３号公報
【特許文献３】特開２００４−３０８０８８号公報
【特許文献４】特許第３３３８４３３号公報
【発明の開示】
【発明が解決しようとする課題】
【００１６】
本発明はかかる背景の下になされたもので、上記従来の方法の欠点を払拭すること、即ち、取り付け時間を短縮することができ、一人で行うこともでき、三つ編みや四つ編みをするよりも仕上がりが小さく目立たず、且つ、三つ編みを行なうことなしに、引っ張られても解けることのない強度が得られるエクステンションの取り付け方法を提供することを課題とする。
【課題を解決するための手段】
【００１７】
上記課題を解決するための請求項１に係る発明は、地肌から複数本の自毛を左右に分髪し、これをそれぞれ左自毛束と右自毛束として束ねる第１工程と、取り付けるべきエクステンションを折り返して左右エクステンション束を生成する第２工程と、前記折り返し部を前記左右自毛束の根元に配置し、前記右エクステンション束を前記右自毛束の手前に重ね合わせて集合束を生成する第３工程と、前記左自毛束を前記エクステンションの折り返し部の下から手前に引き出して、前記集合束に交差させる第４工程と、前記集合束に交差させた前記左自毛束を前記集合束を巻くようにして後方に回す第５工程と、前記集合束に巻き付けられた前記左自毛束を前記左エクステンション束の手前に引き出してこれに交差させた後、前記左エクステンション束を巻くようにして後方に回す第６工程と、前記後方に回された左自毛束を前記集合束の手前に引き出してこれに交差させる第７工程と、前記各毛束を締め付けて仕上げ処理する第８工程、とを含むことを特徴とするエクステンションの取り付け方法である。
【００１８】
前記第５工程乃至第７工程を複数回行なうことがある。また、仕上げ処理として、前記左自毛束と前記右エクステンション束と前記集合束とを裏三つ編みすることがあり、更に、仕上げ処理として、糸ゴムを用いて固定する処理を施すこともある。
【発明の効果】
【００１９】
本発明に係る方法は上記のとおりであって、エクステンションの取り付けを容易に行なうことができて、取り付け時間を短縮することができ、一人でもエクステンションを自毛に取り付けることが可能となる。また、この方法によれば、三つ編みや四つ編みをするよりも仕上がりが小さくなって目立たず、且つ、三つ編みを行なうことなしに、引っ張られても容易には解けない強度が得られるという効果がある。
【発明を実施するための最良の形態】
【００２０】
本発明を実施するための最良の形態について、添付図面に依拠して説明する。図１は本発明に係るエクステンションの取り付け方法の説明図である。本発明に係るエクステンションの取り付け方法においては、まず、図１（Ａ）に示すように、地肌から複数本の自毛１を引き出して、左右に略均等に分髪し、それぞれ右自毛束２及び左自毛束３として束ねる（第１工程）。
【００２１】
次に、図１（Ｂ）に示すように、複数本の人毛又は合成繊維から成るエクステンション４を折り返して左右エクステンション束６、７を生成する（第２工程）。そして、その折り返し部５を分髪した自毛１の根元近くに配置し、右エクステンション束６を右自毛束２の手前に重ね合わせるように配置して右自毛束２と束ね、集合束８を形成する（第３工程）。
【００２２】
続いて図１（Ｃ）に示すように、左自毛束３を、左右エクステンション束６、７の間、即ち、エクステンションの折り返し部５の下方を通して手前に引き出して、集合束８に交差させる（第４工程）。
【００２３】
次に、図１（Ｄ）に示すように、左自毛束３を、集合束８を外側から巻くようにして後方に回す（第５工程）。そして、その毛先を左エクステンション束７の手前に引き出して左エクステンション束７に交差させ、更に、左エクステンション束３を外側から巻くようにして後方に回す（第６工程）。そして最後に、毛先を集合束８の手前に引き出してこれに交差させた後、締め付け処理する（第７、第８工程）。
【００２４】
このように、図１（Ｃ）、（Ｄ）に示す手順、即ち、左エクステンション束７及び集合束８に左自毛束３を巻き付ける第５乃至第７の工程を繰り返すことで、本発明に係るエクステンションの取り付け方法を達成することになるが、その後に毛先が解けないように、図２、図３に示すように、適宜裏三つ編みを施したり、糸ゴム９を結び付けたりする。
【００２５】
なお、図１に示す手順では、左自毛束１を左エクステンション束７と集合束８に１回ずつしか巻き付けていないが、これだけでも実用に耐え得る引張強度を確保することができる。もちろん、エクステンション４の長さ等に応じて、これよりも多く巻き付ければ、引張強度がより増大することは言うまでもない。
【００２６】
上述したように、仕上げ処理として、毛先が解けないように適宜三つ編みを施したり、糸ゴム９を結びつけたりするが、三つ編みを一切施すことなく、巻き付け工程を複数回施した後に、糸ゴム９を結びつけるようにしても、従来の方法と比較しても、十分な強度を確保できる。
【００２７】
なお、本発明に係るエクステンションの取り付け方法によった場合は、仕上がりが球状ではなく、言わば小判状に仕上がるので、球状に結び目を作る場合のように、横臥時等に違和感がなくなる。
【００２８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２９】
【図１】本発明に係るエクステンションの取り付け方法を示す説明図である。
【図２】本発明に係るエクステンションの取り付け方法に裏三つ編みを施す方法を示す説明図である。
【図３】本発明に係るエクステンションの取り付け方法による仕上がり状態を示す図である。
【符号の説明】
【００３０】
１    自毛
２    右自毛束
３    左自毛束
４    エクステンション
５    折り返し部
６    左エクステンション束
７    右エクステンション束
８    集合束
９    糸ゴム
【図２】
2008127709.tif 000003
【図３】
2008127709.tif 000004
【図１】
2008127709.tif 000005